(57)【要約】      （修正有）【課題】閉鎖部を開口させてこれらの水或いは呼気を流通させることができる水泳用ゴーグルのウォーターバルブの構造を提供する。【解決手段】水泳用ゴーグルの鼻カバー１１又は眼鏡レンズ１２に連通する軟質材製の中空バルブ２０を設け、該バルブを扁平断面形状としてその先端近傍で潰し、扁平な内壁面を相互に接して閉鎖させる。或いはさらにその箇所で曲げて空気、水が流通しない閉鎖状態(第一状態)とする。着用時にゴーグル内に水が溜まり、或いは呼気によりレンズが曇るなどして内部の水の排出、或いは水を導入する必要が有る場合、呼気を強めて内圧を高める、或いは外部から閉鎖部を摘んで閉鎖断面を開かせる。【選択図】図1
0003134781.tif 000002
【実用新案登録請求の範囲】
【請求項１】
軟質カバー本体、レンズ及び或はフレームからなる水泳用ゴーグルにおいて、
該ゴーグルと顔との間の空間に連通する軟質材製のパイプを設けて、
該パイプの他端を閉鎖して、内圧又は摘むことにより閉鎖状態を解除して空気又は水の流通を可能としたことを特徴とする水泳用ゴーグルのウオーターバルブ。
【請求項２】
前記ウォーターバルブは、軟質カバー本体に設けたことを特徴とする請求項1記載の水泳用ゴーグルのウォーターバルブの構造。
【請求項３】
前記ウォーターバルブは、レンズに設けたことを特徴とする請求項1記載の水泳用ゴーグルのウォーターバルブの構造。
【請求項４】
前記ウォーターバルブは、フレームに設けたことを特徴とする請求項1記載の水泳用ゴーグルのウォーターバルブの構造。
【請求項５】
前記ウォーターバルブは、ゴーグルの鼻カバー部分の下方に設けたことを特徴とする請求項1記載の水泳用ゴーグルのウォーターバルブの構造。
【請求項６】
前記ウォーターバルブはゴーグルのレンズ上方のカバー本体に設けたことを特徴とする請求項1記載の水泳用ゴーグルのウォーターバルブの構造。
【請求項７】
前記ウォーターバルブは、パイプ形状であることを特徴とする請求項1記載の水泳用ゴーグルのウォーターバルブの構造。
【請求項８】
前記ウォーターバルブは、楕円断面形のパイプ形状であることを特徴とする請求項1記載の水泳用ゴーグルのウォーターバルブの構造。
【請求項９】
前記ウォーターバルブと軟質カバー本体は、一体成型品であることを特徴とする請求項1記載の水泳用ゴーグルのウォーターバルブの構造。
【考案の詳細な説明】
【技術分野】
【０００１】
本考案は、水泳用ゴーグルの構造に関し、特に水泳用ゴーグルの上に設置する進水、排水できるウォーターバルブの構造に関する。
【背景技術】
【０００２】
水泳やダイビング或は水上運動(以下全て水泳とする)を行なう場合、水により視覚や呼吸の妨げにならないよう、一般に防水ゴーグルを着用する。この種のゴーグルは通常鼻部分のカバーを具有するが、該鼻カバーを具有するゴーグルを着用する場合、別の呼吸パイプを組合せている。口部分は呼吸パイプを通じて、呼吸を行なう。
【０００３】
従来技術のゴーグルは、ゴーグルの内部及び外部の水温差があり、さらにユーザーは自然と鼻から息を吐いてしまうため、湿った温かい空気により、ゴーグルの内部のレンズが曇る、或は水蒸気が溜まるなどにより、視覚を妨げる。
【０００４】
曇り或は水蒸気(以下霧除去とする)を除去する従来技術は：
1.水面に浮上し、ゴーグルを脱いで、水中にてレンズを洗い、再び装着する。
2.ダイビングのプロフェッショナルであれば、ゴーグルを動かし、少量の水をゴーグルの内部レンズに進入させ、レンズを洗った後は、呼気を強く出すこと（以下噴気という。）により排水する。しかし、この方法のコントロールは非常に難しく、むせてしまい勝ちである。
【０００５】
ただし、水泳などの最中にこのような曇り除去の動作を繰り返すのは、好ましいことではないため、如何にしてレンズをクリアにするのかが、業界の重要課題となる。
【０００６】
ゴーグルを取らずに、効果的に霧除去するために、考案者は水を引入れる、及び排出するメカニズムが必要と考える。水を引入れる方法は課題とされることが少なく、水を排出する方法は、通常一方向の排水バルブを鼻カバーの下方に設置するが、別途設置するための空間が必要である上、製造及び設置は技術的に困難である。また、一般的な一方向のバルブは、該構造上特定エリアを構成し、軟質バルブフィンの動きを確保するために、該バルブ周辺に隔壁を設置するが、該隔壁があるために、ユーザーが入水後にする鼻と耳の内圧を安定させる動作を困難にさせてしまうため、従来技術を改善する必要があった。
【特許文献１】特開２００７７５３８４号公報
【考案の開示】
【考案が解決しようとする課題】
【０００７】
本考案の第1の目的は、片端がゴーグル内部の開口と連結し、別端は封鎖する構成を具有するウォーターバルブをゴーグルに設置することにある。ユーザーは“噴気”の方法を介し、該封鎖側を開き、ゴーグル内の水を排出するゴーグルの構造を提供することにある。
本考案の第2の目的は、ウォーターバルブを軟管に構成し、片端はゴーグル内部の開口口と連結し、別端は封鎖する構成を具有する。ユーザーはウォーターバルブ外部の特定位置に適切なプレスを施すことで、ウォーターバルブの封鎖構成が通路を形成し、ゴーグル外部にある水を引入れる。プレスの圧力が消失した時、該ウォーターバルブは自動的に元の封鎖状態に回復するゴーグルの構造を提供することにある。
本考案の第3の目的は、幾つかのウォーターバルブをゴーグルに設置し、少なくとも一つのウォーターバルブをプレスすれば、水をゴーグル内に引入れ、その後は“噴気”の動作により、水を少なくとも一つのウォーターバルブより排出するゴーグルの構造を提供することにある。
本考案の第4の目的は、ゴーグルの上に上述のウォーターバルブを設置し、別途開閉可能の開口口或は一方向のバルブ、或は伝統的なバルブを設置し、互いを組み合わせてゴーグルの霧除去を行なう。
【課題を解決するための手段】
【０００８】
前記課題を解決するために、本考案は水泳用ゴーグルのウォーターバルブの構造を提供するものであり、軟質のカバー本体、レンズ、或はフレームなどの部品を具有するウォーターバルブである。本考案のウォーターバルブは、ゴーグルの全ての部品に設置することができ、軟質のカバー本体を製造する際に、直接延長構造により構成することができる。
【考案の効果】
【０００９】
本考案は、開口側と閉鎖側或は幾つかのウォーターバルブをゴーグルに設置することにより、噴気の動作、またはプレスの動作を通じてゴーグル内部に水を入れる或は排出することにより、常にレンズをクリアな状態にする。
【考案を実施するための最良の形態】
【００１０】
図1、図2に示すのは、本考案の実施例であり、ゴーグル10の鼻カバー11の下方にある部分がウォーターバルブ20である。
【００１１】
上述のゴーグル10は、従来技術の水泳(或はダイビングなど)のゴーグルと同じく、鼻カバー11、レンズ12及び軟質カバー本体13を具有し、ゴーグル10はユーザーの目及び鼻の部分を覆い隠す。使用する際、ゴーグル10の内部には水がない、或は水が甚だ少ない状態にあり、目と鼻が水の影響を受けにくく、水泳、ダイビングなどの運動をすることができる。
【００１２】
本考案は、鼻カバー11の下方にウォーターバルブ20を設ける。該ウォーターバルブ20の機能は、ゴーグル10内部にある水を排出することにある。本考案の実施例(この構造の形態に限られない)のウォーターバルブ20は渦巻状(以下第一状態とする)を呈し、該第一状態の時では、水はウォーターバルブ20に流れない。
【００１３】
図3、図4が示すのは、本考案の実施例動作略図である。図1及び図2と異なる点は、該ウォーターバルブ20は水が流れる状態(以下第二状態とする)にある。ゴーグル10は目及び鼻の部分を覆い、ゴーグル10の内部に多めの水が侵入した場合、鼻の噴気動作を介して、ゴーグル10の内部圧力を増すことで、第一状態であるウォーターバルブ20は、ゴーグル内部の圧力に押されて第二状態となり、ゴーグル10内部の水及び空気は押されてウォーターバルブ20より流れ出る。圧力が弱くなったとき、ウォーターバルブ20は第二状態から第一状態に戻る。
【００１４】
図5、図6が示すのは、ウォーターバルブ20の立体図及びその断面図である。実施例にあるウォーターバルブ20は、楕円断面形(この形態に限られない)の軟質材製の管構造を呈し、渦巻状に加工する。内部のパイプが封鎖され、外力を受けない正常な形状(即ち第一状態)、(図1及び図2参照)となる。実施例のウォーターバルブ20は、開口21を具有し、前述の軟質カバー本体13と連結する(レンズ12などの位置にも連結することができる。後述にて説明する)ことにより、カバー本体13の内部空間と相通じ、一本の流通パイプ22になる。  該流通パイプ22の末端25は、第一状態の場合、ウォーターバルブ20のパイプ壁23、24と互いに密接に接近するようにプレスすることで、相互に接して封鎖状態となる。
【００１５】
図7、図8が示すのは、ウォーターバルブ20が外力を受けて、変形した状態(第二状態)を示す(図3、図4参照)。該外力は少なくとも二種類あり、一つはゴーグル10内部より強大な圧力を発生させ(噴気動作を行なった場合)、流通パイプ22を前方の開口21より末端25まで全て開くようにする。二つ目はウォーターバルブ20の楕円形(この形状に限られない)の両側より圧力を施すことで、ウォーターバルブ20の形状は比較的丸くなり、互いに接していたパイプ壁23、24は離れて流通パイプ32が開き、水或は空気が流れる状態となる(図11、図12を参照)。
【００１６】
図9〜図12に示すのは、上述のウォーターバルブ20の構造をゴーグル10の上方位置に設置し、主にレンズ12の上方にある軟質カバー本体13の位置に設置する。この種類のウォーターバルブ30の構成は、前述のウォーターバルブ20の構成と特徴は同じであり、内部に流通ルートとなる軟質材製の管状の構造を持つ。片端の開口口31はゴーグル内部空間と相通じており、他端は、開閉できる構成を具有する。ウォーターバルブ20の扁平状態の両側より圧力を施すと、該ウォーターバルブ20は形状が変更したことにより、流通パイプ32が開くため、ゴーグル10の外部にある水がゴーグル内に流れ込み、流水の水を使って、レンズを洗うことができる。
【００１７】
図11、図12が示すのは、レンズ12の上方にウォーターバルブ30を設置するほか、ゴーグル10の鼻カバー11の下方に、別のウォーターバルブ20を設置し、該ウォーターバルブ20は使用者が“噴気”の動作をすることにより、ゴーグル10の内部にある水を強制的に流れ出すことができる。
【００１８】
ウォーターバルブの構造とは、軟質材製のパイプ本体を構成し、該形状は楕円形に限られない。図13〜図16が示すのは、該ウォーターバルブ40、50の形状の中で、開口口41、51及び封鎖位置42、52を具有するだけで、該封鎖位置42、52は“噴気”或は外力の動作により開くことができる。
【００１９】
図17、図18に示すウォーターバルブ60、70は、レンズ12或は軟質のカバー本体13の各位置に設置することができる。該目的は、ゴーグル内の気圧或は外力により、第一状態を第二状態に変更することで、ゴーグルの外部の水で、ゴーグル内部のレンズを洗う目的に達する。及び/或は水を排出する目的を達成する。
【００２０】
本考案の言及するウォーターバルブは、軟質のカバー本体13を製造時に直接延長して構成する(図19を参照)。
【００２１】
上述の内容は、本考案の最良形態である。本技術に熟知する者は、固定構造の変更などの適当な変更および調整を行うことができ、これらの変更および調整を行っても本考案の重要な意義は失われず、本考案の範囲に含まれる。
【図面の簡単な説明】
【００２２】
【図１】本考案の第一実施例(一)(第一状態)である。
【図２】図1にあるゴーグル部分のA-A部分の断面図である。
【図３】本考案の第二実施例(二)(第二状態)である。
【図４】図3にあるゴーグル部分のB-B部分の断面図である。
【図５】本考案のウォーターバルブの立体図(第一状態)である。
【図６】ウォーターバルブの第一状態の断面図である。
【図７】本考案のウォーターバルブの立体図(第二状態)である。
【図８】ウォーターバルブの第二状態の断面図である。
【図９】本考案の第三実施例(三)である。
【図１０】図9にあるゴーグル部分のC-C部分の断面図である。
【図１１】本考案の第四実施例(四)である。
【図１２】図11にあるゴーグル部分のD-D部分の断面図である。
【図１３】本考案のウォーターバルブの異なる形状の実施例である。
【図１４】本考案のウォーターバルブの異なる形状の実施例である。
【図１５】本考案のウォーターバルブの異なる形状の実施例である。
【図１６】本考案のウォーターバルブの異なる形状の実施例である。
【図１７】本考案のウォーターバルブの設置位置の実施例である。
【図１８】本考案のウォーターバルブの設置位置の実施例である。
【図１９】本考案のウォーターバルブ及び軟質カバー本体の一体成型した実施例である。
【符号の説明】
【００２３】
10ゴーグル
11鼻カバー
12レンズ
13軟質カバー本体
20、30、40、50、60、70ウォーターバルブ
21、31、41、51開口口
22、32流通パイプ
23、24パイプ壁
25  末端
42、52閉鎖位置
【図１】
0003134781.tif 000003
【図２】
0003134781.tif 000004
【図３】
0003134781.tif 000005
【図４】
0003134781.tif 000006
【図５】
0003134781.tif 000007
【図６】
0003134781.tif 000008
【図７】
0003134781.tif 000009
【図８】
0003134781.tif 000010
【図９】
0003134781.tif 000011
【図１０】
0003134781.tif 000012
【図１１】
0003134781.tif 000013
【図１２】
0003134781.tif 000014
【図１３】
0003134781.tif 000015
【図１４】
0003134781.tif 000016
【図１５】
0003134781.tif 000017
【図１６】
0003134781.tif 000018
【図１７】
0003134781.tif 000019
【図１８】
0003134781.tif 000020
【図１９】
0003134781.tif 000021